(57)【要約】【課題】改良された挿入特性を有するネジを提供する。【解決手段】セルフタッピングネジ（１０，３０）は、駆動部（１２）と、主ねじ（１６，３２）を有するねじを持つシャンク（１４）とを備える。主ねじは、最大主ねじ外径（ＤＡＦ）と、切削領域（Ｆ）と、駆動方向において続く支え領域（Ｔ）とを有する。シャンク（１４）は、駆動部（１２）と逆の方向に位置する端部にねじ終端（１８）を有し、ねじ終端（１８）は、最大主ねじ外径（ＤＡＦ）の少なくとも２０％の直径（ＤＥ）を有している。シャンクは、さらに、ねじ終端（１８）の領域にタップフルート（２０）を有し、タップフルート（２０）は、少なくとも２つのタッピングねじターン（２０ａ，２０ｂ，２０ｃ）を備えている。タッピングねじターンは、最大主ねじ外径（ＤＡＦ）の９０％以下の外径（ＤＡＡ）を有し、かつタップ領域を形成し、このタップ領域では、タッピングねじターン（２０ａ，２０ｂ，２０ｃ）が同じ直径である。タップフルート領域（ＡＢ）における主ねじ（１６，３２）の直径は、前記タッピングねじターンの外径（ＤＡＡ）と同じか、それよりも小さい。【選択図】図１
2021529287.tif 000002
【特許請求の範囲】
【請求項１】
駆動部（１２）と、主ねじ（１６，３２）を有するねじを持つシャンク（１４）とを備えたセルフタッピングネジ（１０，３０）であって、
前記主ねじ（１６，３２）は、最大主ねじ外径（ＤＡＦ）と、切削領域（Ｆ）と、駆動方向において続く支え領域（Ｔ）とを有し、
前記シャンク（１４）は、前記駆動部（１２）と逆の方向に位置する端部にねじ終端（１８）を有し、前記ねじ終端（１８）は、前記最大主ねじ外径（ＤＡＦ）の少なくとも２０％の直径（ＤＥ）を有しており、
特徴とするところは、
前記シャンクは、さらに、前記ねじ終端（１８）の領域にタップフルート（２０）を有し、前記タップフルート（２０）は、少なくとも２つのタッピングねじターン（２０ａ，２０ｂ，２０ｃ）を備えており、前記タッピングねじターンは、前記最大主ねじ外径（ＤＡＦ）の９０％以下の外径（ＤＡＡ）を有し、かつタップ領域を形成し、このタップ領域では、タッピングねじターン（２０ａ，２０ｂ，２０ｃ）が同じ直径であり、さらに
タップフルート領域（ＡＢ）における前記主ねじ（１６，３２）の直径は、前記タッピングねじターン（２０ａ，２０ｂ，２０ｃ）の外径（ＤＡＡ）と同じか、それよりも小さいものである、セルフタッピングネジ。
【請求項２】
前記タップフルート領域（ＡＢ）における主ねじ（１６、３２）の直径がタップフルートの直径（ＤＡＡ）と同一であることを特徴とする、請求項１に記載のセルフタッピングネジ。
【請求項３】
少なくとも３つのタッピングねじターン（２０ａ，２０ｂ，２０ｃ）が設けられ、タップフルート領域における主ねじの直径（Ｄ）は、タップフルート（２０）の直径（ＤＡＡ）よりも小さいことを特徴とする、請求項１に記載のセルフタッピングネジ。
【請求項４】
前記ねじ終端（１８）の領域におけるタッピングねじターン（２０ａ，２０ｂ，２０ｃ）は、芯から始まり、直径が一定に増加していることを特徴とする、請求項１〜３のいずれか１項に記載のセルフタッピングネジ。
【請求項５】
同一外径（ＤＡＡ，Ｄ）のタッピングねじターン（２０ａ，２０ｂ，２０ｃ）は、タップフルート領域（ＡＢ）の周りに均等に分布していることを特徴とする、請求項１〜４のいずれか１項に記載のセルフタッピングネジ。
【請求項６】
前記ねじ終端（１８）は、前記主ねじ外径（ＤＡＦ）の少なくとも２０％、少なくとも３０％、少なくとも４０％、少なくとも５０％、少なくとも６０％の直径（ＤＥ）を有していることを特徴とする、請求項１〜５のいずれか１項に記載のセルフタッピングネジ。
【請求項７】
タップフルート領域（ＡＢ）におけるすべてのねじターンは、同じ断面の平面で始まることを特徴とする、請求項１〜６のいずれか1項に記載のセルフタッピングネジ。
【請求項８】
タップフルート領域（ＡＢ）におけるすべてのねじターン（２０ａ，２０ｂ，２０ｃ）は、同一のねじ設計であることを特徴とする、請求項7に記載のセルフタッピングネジ。
【請求項９】
前記タップフルート（２０）は、前記ねじの終端（１８）の直後から始まることを特徴とする、請求項１〜８のいずれか１項に記載のセルフタッピングネジ。
【請求項１０】
前記タップフルート（２０）は、前記ねじ終端（１８）から離れた点で始まることを特徴とする、請求項１〜９のいずれか1項に記載のセルフタッピングネジ。
【請求項１１】
前記タップフルート（２０）および主ねじ（１６）は、ロールねじであることを特徴とする、請求項１〜１０のいずれか１項に記載のセルフタッピングネジ。
【請求項１２】
前記タップフルート（２０）および前記主ねじ（１６）は、前記タップフルート領域の外側の主ねじ（１６）よりも、前記タップフルート領域（ＡＢ）においてより鈍角のフランク角を有することを特徴とする、請求項１〜１１のいずれか１項に記載のセルフタッピングネジ。
【請求項１３】
前記タップフルート（２０）は、急に無くなることを特徴とする、請求項１〜１２のいずれか1項に記載のセルフタッピングネジ。
【請求項１４】
前記タップフルート（２０）は、最大２ターンを超えて延びていることを特徴とする、請求項１〜１３のいずれか1項に記載のセルフタッピングネジ。
【請求項１５】
前記ねじターンは、ねじの外径の補間された経路を残して、中断されることを特徴とする、請求項１〜１４のいずれか１項に記載のセルフタッピングネジ。
【請求項１６】
前記主ねじは、その最大外径（ＤＡＦ）が前記切削領域（Ｆ）にあり、その外径（ＤＡＴ）が前記支え領域（Ｔ）においてより小さいことを特徴とする、請求項１〜１５ののいずれか１項に記載のセルフタッピングネジ。
【請求項１７】
前記最大主ねじ外径（ＤＡＦ）の領域におけるねじの断面の輪郭（３８）は、少なくとも、ねじの断面輪郭の半径方向外側領域（Ｅ）において、この領域（Ｅ）における支え領域（Ｔ）のねじの断面の輪郭（３６）よりも大きいことを特徴とする、請求項１６に記載のセルフタッピングネジ。
【発明の詳細な説明】
【技術分野】
【０００１】
本発明は、請求項１の前提部分に記載されているようなセルフタッピングネジに関するものである。
【背景技術】
【０００２】
例えばＥＰ０９４８７１９Ｂ１から知られているように、特にプラスチック材料にねじ込まれるように適合されたネジは、駆動部とねじ付きシャンクとを含む。ネジは主ねじをさらに含み、前記主ねじは最大主ねじ外径を有する。前記主ねじは荷重支え領域およびねじ切削領域を有し、前記ねじ切削領域は、雌ねじが完成するねじターンの箇所で終了する。
【０００３】
ネジのシャンク上で、駆動部から遠ざかる方に向く端部で、ネジは最大主ねじ外径の少なくとも２０％の直径のネジ終端を有する。
【先行技術文献】
【特許文献】
【０００４】
【特許文献１】ＥＰ０９４８７１９Ｂ１
【発明の概要】
【発明が解決しようとする課題】
【０００５】
本発明の目的は、改善された挿入特性を有するネジを提供することである。
【０００６】
この目的は、請求項１の特徴をその前提部分と組み合わせることによって達成される。
【０００７】
従属請求項は、本発明の有利な実施形態を含む。
【課題を解決するための手段】
【０００８】
本発明は、ネジ終端の領域に、タップフルートを含むシャンクを提供する。タップフルートは、少なくとも２つのタッピングねじターンを備える。これらのタッピングねじターンの外径は、主ねじの最大外径の９０％以下である。従って、タップフルート領域がネジ上に形成され、タッピングねじターンは、同じ直径の輪郭を有する。さらに、タップフルート領域における主ねじの直径は、タッピングねじターンの直径と同じか、それよりも小さい。
【０００９】
この利点は、タッピングねじターンが、部品、特にプラスチック材料に作られたパイロット穴にネジを最初に迅速かつ直線的に挿入し得るようにするものであり、その結果、ねじ切削領域に続く荷重支え領域の可能な限り正確な位置合わせが得られることである。これにより、荷重支え領域はねじ切削領域によって予め切削された雌ねじに沿って進行し、従ってねじ挿入プロセスの間、摩擦を減ずることができる。
【００１０】
本発明の有利な実施形態では、タップフルート領域の主ねじがタップフルート自体と同じ直径を有する。その結果、この領域では、主ねじがタッピングねじターンとして機能することができ、ネジが挿入されるパイロット穴の側壁との均一な係合を保証する。したがって、２つのタッピングねじターンを有する主ねじは、特に、ネジを最適にセンタリングし、整列させることを確実にするために使用され得る。
【００１１】
あるいは、タップフルート領域の主ねじの直径がタップフルート自体の直径よりも小さい状態で、３つのタッピングねじターンを設けることもできる。この実施形態では、タッピングねじターンのみが、ネジをセンタリングするのに使用され、その後でのみ、主ねじが雌ねじ切削する。
【００１２】
好ましくは、タッピングねじターンは、ネジ端部の領域の芯から始まり、芯の始まりから直径を連続的に拡張する。これにより、タッピング中にネジを均一かつ高速にセンタリングできる。
【００１３】
特に、同じ外径を有するねじターンは、タップフルート領域の周りに均等に分布している。これはまた、ねじのセンタリングを容易にする。
【００１４】
さらに、ねじ端部の直径は、主ねじ外径の少なくとも３０％、少なくとも４０％、少なくとも５０％、少なくとも６０％とすることができる。この結果、鈍いネジ端部が形成されるので、ほんの短い挿入距離で、ネジは既にパイロット穴によって案内されることになる。
【００１５】
タップフルート領域内の全てのねじターンが、同じ断面平面内にそれらの始まりを有することが特に好ましい。これにより、タップフルート領域全体にわたって、タップフルート領域のねじターンの均等な接触を確実にする。
【００１６】
別の有利な実施形態によれば、タップフルート領域内のすべてのねじは、同じねじ設計、特に同じねじ輪郭を有することができる。
【００１７】
好ましくは、タップフルートがネジの端部から直接始まる。これは、迅速なセンタリング機能を提供する。
【００１８】
あるいは、タップフルートがネジの端部から離れた位置から始まることができる。このようにして、ネジの端部に向かう領域は、位置決め機能を果たすことができる。
【００１９】
タップフルートねじおよび主ねじは、ロールねじであり得、したがって、それらの製造を低コストで可能にする。
【００２０】
タップフルートと主ねじは、タップフルート領域の中で、タップフルート領域の外側の主ねじのフランク角よりも鈍角のフランク角を有するようにしてもよい。これにより、タップフルート領域のセンタリング機能と主ねじの切削機能を特に考慮することができる。
【００２１】
タップフルートがその最大外径に達した後、タップフルートを急に無くすことができる。これにより、特にねじが狭いパイロット穴に挿入された場合に、摩擦が減少する。
【００２２】
さらに、本発明は、タップフルートが最大２ターンにわたって延在することを提供することができる。これにより、十分な案内を確保する一方で、効果的なネジ接続を確保する。
【００２３】
本発明によれば、ねじの外径の補間されたコースが同じままである状態で、ねじターンの中断があってもよい。
【００２４】
本発明によれば、最大主ねじ外径が切削領域内に存在し、さらにその外径も支え領域内でより小さくなるという点で、挿入トルクをさらに小さくすることができる。その結果、切削領域に追従する支え領域のターンが、わずかに大きく切削された雌ねじにねじ込まれる。こうして、ねじターンによって受ける摩擦が減少する。これは、ねじがプラスチック材料にねじ込まれるときに特に好ましい効果を有する。
【００２５】
好ましくは、最大主ねじ外径の領域におけるねじ断面輪郭が、この領域における支え領域におけるねじ断面輪郭よりも、少なくともねじ断面輪郭の半径方向外側の領域において大きい。半径方向外側領域は、最大主ねじ直径の約８５％である。
【００２６】
本発明のさらなる利点、特徴、および可能な用途は、図面に示された実施形態を参照する以下の説明から集めることができる。
【図面の簡単な説明】
【００２７】
【図１】本発明によるネジの側面図である。
【図２】図１のネジシャンクのタップフルート領域における線Ｂ−Ｂに沿った断面図である。
【図３】３つのタッピングねじターンを有する本発明に係るネジの側面図である。
【図４ａ】図３のネジシャンクのタップフルート領域における線Ａ−Ａに沿った断面図である。
【図４ｂ】図３のネジシャンクのタップフルート領域における線Ｂ−Ｂに沿った断面図である。
【図５】切削領域におけるねじの輪郭と主ねじの支え領域におけるねじの輪郭との比較図である。
【発明を実施するための形態】
【００２８】
図１は、ネジシャンク１４とネジドライブ１２とを備えたセルフタッピングネジ１０を示している。ネジシャンク１４は主ねじ１６を有し、この主ねじは切削領域Ｆ及び支え領域Ｔを有する。切削領域Ｆは、主ねじ１６上の箇所で終端となり、その箇所で雌ねじが完了する。切削領域の後に支え領域Ｔが続く。これは、ネジ１８の自由端から始まる主ねじ１６の約２ターン後に当てはまる。
【００２９】
この例では、切削領域Ｆと支え領域Ｔとは、同じねじターンの部分であるので、支え領域Ｔと切削領域Ｆとの間には実際の移行がない。ドライブ（駆動部）と逆に位置するネジの端部、すなわち「先端」には、本発明によるタップフルート領域ＡＢが設けられている。この実施形態では、タップフルート領域ＡＢが、ネジ端部１８で直接的にねじ芯から延び、かつ駆動部１２に向かってタップフルート領域ＡＢの端部にまでそれらの直径ＤＡＡを連続的に増加させている２つのねじターン２０ａ、２０ｂによって形成される。タッピングねじターン２０ａ、２０ｂは、タップフルート領域ＡＢの終端において、それらの最大直径ＤＡＡを有する。この直径は、主ねじ１８の直径ＤＡＦの９０％未満である。その結果、タップフルート２０の保持特性が損なわれることはなく、ネジ１０の最初の中心合わせされた真っ直ぐな挿入が依然として可能である。タップフルート領域ＡＢでは、主ねじ１６が、タッピングねじターン２０ａ、２０ｂと同様に延びている。
【００３０】
図２に示すのは、タップフルート領域ＡＢのほぼ中央を通る線Ｂ−Ｂに沿った断面図である。この断面図は、タッピングねじターン２０ａ、２０ｂと主ねじ１６とを示している。この箇所では、すべてのねじは、同じ直径ＤＡＡを有している。直径ＤＡＡは、ネジの端部から駆動部に向かって徐々に増大するが、この直径はタップフルート領域ＡＢ内の各断面において同じである。
【００３１】
図３は本発明によるネジの別の実施形態の側面図であり、このネジには、３つのタッピングねじ２０ａ、２０ｂ、２０ｃが設けられている。タップフルート領域ＡＢにおける主ねじ３２は、タッピングねじ２０ａ、２０ｂ、２０ｃよりも小さい直径を有している。
【００３２】
主ねじ３２は、タッピングねじターン２０ａ、２０ｂ、２０ｃ間のタップフルート領域ＡＢで始まり、タップフルート領域ＡＢの終端でタッピングねじターン２０ａ、２０ｂ、２０ｃの直径と同じになるようにその直径を増加する。タップフルート領域ＡＢの終端から、タップフルート２０が無くなり、主ねじ３２がシャンクに沿ってさらに延びる。ねじターンの直径は、タップフルート領域ＡＢの終端のＡ−Ａ線に沿った断面図である図４ａに示され、及びシャンクのＢ−Ｂ線に沿った断面図である図４ｂに示されている。
【００３３】
さらに、タップフルート領域ＡＢに続いて、主ねじターン３２は、ヘッドの方向において、切削領域Ｆと、支え領域Ｔとを有する。
【００３４】
最大主ねじ直径ＤＡＦは切削領域Ｆにあり、その後、切削領域Ｆの後に雌ねじが形成される。駆動方向において切削領域に続く支え領域Ｔは、最大主ねじ外径ＤＡＦよりも小さい外径ＤＡＴを有する。このようにして、ねじ挿入工程中に，切削領域Ｆの後に続く支え領域Ｔが受ける摩擦を減少させる。これにより、ねじ挿入トルクが低くなる。
【００３５】
本発明は、以下の特徴を備えるネジに関するものであることに注目すべきである。すなわち、ネジは、図１に示す設計の切削領域Ｆと、図３に示す設計の主ねじ３２とを有し、切削領域Ｆに最大ねじ外径ＤＡＦを有し、支え領域により小さな外径ＤＡＴを有する。
【００３６】
図４ａは、タップフルート領域ＡＢの端部のネジシャンクを通る線Ａ−Ａに沿った断面図である。すべてのねじは、この位置で同じ外径ＤＡＡを持つ。
【００３７】
図４ｂは、タップフルート領域ＡＢのほぼ中央を通る線Ｂ−Ｂに沿った断面図である。この図は、主ねじ３２がタッピングねじターン２０ａ、２０ｂ、２０ｃによって規定された外径ＤＡＡ内にあることを明確に示す。
【００３８】
図５は、さらに、切削領域のねじ輪郭と、主ねじの支え領域のねじ輪郭との比較図である。図５は、主ねじの最大外径ＤＡＦの領域におけるねじの断面輪郭３８が、ねじ断面輪郭の少なくともその半径方向外側領域Ｅにおいて、この領域Ｅにおける支え領域Ｔにおけるねじの断面輪郭３６よりも大きいことを示している。
【図１】
2021529287.tif 000003
【図２】
2021529287.tif 000004
【図３】
2021529287.tif 000005
【図４ａ】
2021529287.tif 000006
【図４ｂ】
2021529287.tif 000007
【図５】
2021529287.tif 000008
【国際調査報告】
2021529287.tif 000009
2021529287.tif 000010
2021529287.tif 000011
2021529287.tif 000012
2021529287.tif 000013